(57)【要約】      （修正有）【課題】幅が少なくとも異なる複数種のパネル状の被梱包物から１種を選択して梱包する場合であっても、部品数を増やすことなく梱包することができる梱包材を提供する。【解決手段】幅が少なくとも異なる複数種のパネル状の被梱包物から１種を選択して梱包するための梱包材である。梱包材１は、容器本体２０と、蓋体１０と、選択された被梱包物の両側の側辺部を保護する側辺保護部材３０とを備える。側辺保護部材３０には、複数種の被梱包物に応じた長さを有した複数の側辺部保護用アーム部が形成され、容器本体２０には、側辺保護部材３０に嵌合する嵌合凹部２６が形成されている。【選択図】図１
2014009019.tif 000002
【特許請求の範囲】
【請求項１】
幅が少なくとも異なる複数種のパネル状の被梱包物から１種を選択して梱包するための梱包材であって、
前記梱包材は、前記被梱包物を収納する収納凹部が形成された容器本体と、前記収納凹部に形成された開口端部を密閉するように前記容器本体を覆う蓋体と、前記容器本体または前記蓋体の少なくともいずれか一方に着脱自在に嵌合すると共に、前記選択された被梱包物の両側の側辺部を保護する側辺保護部材と、を備えており、
前記各側辺保護部材には、軸部から放射状に延在するとともに、前記複数種の被梱包物に応じた長さを有した複数の側辺部保護用アーム部が形成されており、
前記容器本体または蓋体には、選択された被梱包物に応じた前記側辺部保護用アーム部の先端面が、前記収納凹部の内側壁面から露出して前記側辺部を保護するように、前記側辺保護部材に嵌合する嵌合凹部が形成されていることを特徴とする梱包材。
【請求項２】
前記各側辺部保護用アーム部には、選択された被梱包物に応じた側辺部保護用アーム部を認識するための認識部を有することを特徴とする請求項１に記載の梱包材。
【請求項３】
前記側辺保護部材には、前記側辺保護部材が十字状となるように、４つの各側辺部保護用アーム部が軸部から延在していることを特徴とする請求項１または２に記載の梱包材。
【請求項４】
前記側辺保護部材は前記容器本体に嵌合するものであり、前記側辺保護部材は、該容器本体に嵌合した状態で前記容器本体の開口端部から突出していることを特徴とする請求項２または３に記載の梱包材。
【請求項５】
前記複数種の被梱包物には、矩形状のパネルの側辺部に、フレキシブル回路を介して回路基板が接続された被梱包物を含み、
前記収納凹部の底面の側縁部には、前記回路基板を収容するための基板収容凹部が形成されており、
前記収納凹部の前記基板収容凹部が形成された側の隅部には、前記容器本体または前記蓋体の少なくともいずれか一方に着脱自在に嵌合すると共に、前記被梱包物のパネルの角部を保護する角部保護部材が設けられていることを特徴とする請求項１〜４のいずれかに記載の梱包材。
【請求項６】
前記角部保護部材は、前記容器本体または蓋体に嵌合する嵌合部と、該嵌合部が嵌合した状態で前記収納凹部の隅部から各内側壁に沿って延在するように、前記嵌合部に連結された一対の角部保護用アーム部と、が形成された保護部材本体と、
前記パネルを保護するように前記各角部保護用アーム部の表面に配置された衝撃緩衝材と、を備えていることを特徴とする請求項５に記載の梱包材。
【請求項７】
前記角部保護部材は前記容器本体に嵌合するものであり、前記角部保護用アーム部は、該容器本体に嵌合した状態で前記容器本体の開口端部から突出していることを特徴とする請求項５または６に記載の梱包材。
【請求項８】
前記容器本体には、前記角部保護部材を収納する収納部が形成されていることを特徴とする請求項５〜７のいずれかに記載の梱包材。
【請求項９】
前記容器本体には、前記収納凹部に収納された被梱包物の側辺部のうち、前記側辺保護部材が保護する側辺部とは異なる側辺部に沿って、該側辺部を保護するように、前記収納凹部の内側壁面に着脱自在に嵌合する側辺緩衝部材が設けられていることを特徴とする請求項１〜８のいずれかに記載の梱包材。
【請求項１０】
請求項１〜９のいずれかの梱包材により、前記被梱包物を梱包した梱包体。
【発明の詳細な説明】
【技術分野】
【０００１】
本発明は、幅が少なくとも異なる複数種のパネル状の被梱包物から１種を選択して好適に梱包することができる梱包材に関する。
【背景技術】
【０００２】
従来から、被梱包物を梱包する梱包材として、容器本体と蓋体とが用いられている。容器本体の上部には、開口部を介して被梱包物を収納するための収納凹部が形成されており、蓋体は、この収納凹部から露呈した被梱包物を覆うようになっている。
【０００３】
被梱包物として、たとえば、ガラス基板などのパネル状の被梱包物を梱包する際には、合紙を介して同じ大きさのパネルを幾重にも積み重ねて、容器本体の収納凹部に収納される。ここで、幅の異なる複数種の被梱包物のうちいずれか１種を選択して、複数枚収納凹部に収納する際には、この種類に応じた収納凹部が形成された容器本体を準備しなければならなかった。
【０００４】
このような点を鑑みて、例えば、梱包時におけるパネルの側辺部に対向する位置において、収納されるパネルの大きさに応じた形状を有するスペーサー（保護部材）を用いて、該保護部材を収納凹部の内側壁面に着脱自在に嵌合させた梱包材が提案されている（たとえば、特許文献１〜３参照）。
【０００５】
このように、たとえ異なる種類のパネル（被梱包物）のうちいずれか１種のパネルを選択して、複数枚積み重ねて梱包する場合であっても、この選択した種類のパネルの大きさに応じて、保護部材を選択して、容器本体の収納凹部内において嵌合させればよいので、共通した容器本体および蓋体を兼用して、これらを梱包することができる。
【特許文献１】実用新案登録第３１２０７０７号公報
【特許文献２】実用新案登録第３１５１０５３号公報
【特許文献３】特開２００８−２８００６２号公報
【発明の開示】
【発明が解決しようとする課題】
【０００６】
しかしながら、特許文献１〜３に示す梱包材は、選択された被梱包物に応じた保護部材を選択して、共通した収納本体および蓋体で被梱包物を梱包することができるが、幅の異なる複数種の被梱包物に応じた保護部材を複数種準備しなければならず、梱包材としての部品数が増加するばかりでなく、梱包時に選択されなかった保護部材を保管および管理しなければならなかった。
【０００７】
本発明は、このような点を鑑みてなされたものであり、その目的とするところは、幅が少なくとも異なる複数種のパネル状の被梱包物から１種を選択して梱包する場合であっても、部品数を増やすことなく梱包することができる梱包材を提供することにある。
【課題を解決するための手段】
【０００８】
本発明は、前記課題を解決するためになされたものであり、本発明に係る梱包材は、幅が少なくとも異なる複数種のパネル状の被梱包物から１種を選択して梱包するための梱包材であって、前記梱包材は、前記被梱包物を収納する収納凹部が形成された容器本体と、前記収納凹部に形成された開口端部を密閉するように前記容器本体を覆う蓋体と、前記容器本体または前記蓋体の少なくともいずれか一方に着脱自在に嵌合すると共に、前記選択された被梱包物の両側の側辺部を保護する側辺保護部材と、を備えており、前記各側辺保護部材には、軸部から放射状に延在するとともに、前記複数種の被梱包物に応じた長さを有した複数の側辺部保護用アーム部が形成されており、前記容器本体または蓋体には、選択された被梱包物に応じた前記側辺部保護用アーム部の先端面が、前記収納凹部の内側壁面から露出して前記側辺部を保護するように、前記側辺保護部材に嵌合する嵌合凹部が形成されていることを特徴とする。
【０００９】
本発明による梱包材を用いる際には、まず、梱包すべき被梱包物として、少なくとも幅の異なる複数種からいずれか１種を選択する。次に、選択された被梱包物に合わせて側辺部保護用アーム部を選択し、選択した側辺部保護用アーム部の先端面が収納凹部の内側壁面から露出するように、容器本体または蓋体に形成された嵌合凹部に側辺保護部材を嵌合させる。
【００１０】
このようにして、幅が異なる被梱包物に合わせて側辺部保護用アーム部を選択することにより、いずれの被梱包物を梱包する場合であっても、その両側の側辺部に対向するように１つの側辺保護部材を用いてその側辺部保護用アーム部の先端面を配置することができる。この結果、梱包体に衝撃または振動が作用した場合であっても、側辺部保護用アーム部の先端面で被梱包物の側辺部を押さえ、被梱包物を保護することができる。
【００１１】
さらに好ましい態様としては、前記各側辺部保護用アーム部には、選択される被梱包物に応じた側辺部保護用アーム部を認識するための認識部を有する。この態様によれば、被梱包物を選択するのに合わせて、側辺保護部材の側辺部保護用アーム部の認識部を確認しながら、適切な側辺部保護用アーム部が内側壁面から露出するように、側辺保護部材を嵌合凹部に嵌合させることができる。
【００１２】
また、保護部材の側辺部保護用アーム部は、軸部から放射状に延在し、複数種の被梱包物に応じた長さを有しているのであれば、その数は特に限定されるものではない。しかしながら、より好ましい態様としては、前記側辺保護部材には、前記側辺保護部材が十字状となるように、４つの各側辺部保護用アーム部が軸部から延在している。この態様によれば、４つの各側辺部保護用アーム部により側辺保護部材が十字状となるので、側辺保護部材を嵌合凹部の適切な位置に容易に嵌め込むことができる。
【００１３】
また、より好ましい態様としては、前記側辺保護部材は前記容器本体に嵌合するものであり、前記側辺保護部材は、該容器本体に嵌合した状態で前記容器本体の開口端部から突出している。
【００１４】
この態様によれば、容器本体の開口端部の近傍まで、被梱包物を積み重ねて、収納凹部に収納した場合であっても、側辺保護部材により、最上段に積み重ねられた被梱包物が、容器本体の開口端部から飛び出すことを抑えることができる。
【００１５】
また、前記複数種の被梱包物に、矩形状のパネルの側辺部に、フレキシブル回路を介して回路基板が接続された被梱包物を含む場合、振動または衝撃が作用した際には、フレキシブル回路は可撓性を有するためこれが屈曲し、フレキシブル回路が形成された側の側辺部を保護することは難しい。
【００１６】
そこで、このような被梱包物を梱包するにより好ましい態様としては、前記収納凹部の底面の側縁部には、前記回路基板を収容するための基板収容凹部が形成されており、前記収納凹部の前記基板収容凹部が形成された側の隅部には、前記容器本体または前記蓋体の少なくともいずれか一方に着脱自在に嵌合すると共に、前記被梱包物のパネルの角部を保護する角部保護部材が設けられている。
【００１７】
この態様によれば、回路基板付きの被梱包物を梱包する際には、基板収容凹部に被梱包物の回路基板を逃がすように、被梱包物を収納凹部内において積み重ねる。この際に、前記収納凹部の前記基板収容凹部が形成された側の隅部には、被梱包物のパネルの角部を保護する角部保護部材が配置されているので、フレキシブル回路を介して回路基板が接続された側辺部側において、被梱包物を梱包することができる。
【００１８】
回路基板付きの被梱包物のパネルの角部を保護することができれば、角部保護部材の形状は特に限定されるものではなく、例えば、ブロック状のクッション材の一部を角部の形状に応じて陥没させた形状などを挙げることができる。
【００１９】
さらに、より好ましい態様としては、前記角部保護部材は、前記容器本体または蓋体に嵌合する嵌合部と、該嵌合部が嵌合した状態で前記収納凹部の隅部から各内側壁に沿って延在するように、前記嵌合部に連結された一対の角部保護用アーム部と、が形成された保護部材本体と、前記パネルを保護するように前記各角部保護用アーム部の表面に配置された衝撃緩衝材と、を備えている。
【００２０】
この態様によれば、容器本体または蓋体に嵌合した嵌合部から延在する一対の角部保護用アーム部の表面には、衝撃緩衝材が配置されているので、回路基板付きの被梱包物の角部から各側辺部に沿った部分を、衝撃緩衝材により保護することができる。さらに、嵌合部が嵌合した状態で、角部保護部材に衝撃が作用した際には、角部保護用アーム部に回路基板付きの被梱包物の角部が接触し、角部保護用アーム部が撓む。この結果、角部保護用アーム部により第２の被梱包物の角部の衝撃を緩衝することができる。
【００２１】
さらに好ましい態様としては、前記角部保護部材は前記容器本体に嵌合するものであり、前記角部保護用アーム部は、該容器本体に嵌合した状態で前記容器本体の開口端部から突出している。この態様によれば、上述した側辺保護部材と同様に、容器本体の開口端部の近傍まで、回路基板付き被梱包物を積み重ねて、収納凹部に収納した場合であっても、角部保護用アーム部により、上段に積み重ねられた被梱包物の角部が、角部保護用アーム部を乗り越えることを抑制することができる。これにより、被梱包物が、梱包材から飛び出すことを防止することができる。
【００２２】
前記容器本体には、前記収納凹部に収納された被梱包物の側辺部のうち、前記側辺保護部材が保護する側辺部とは異なる側辺部に沿って、該側辺部を保護するように、前記収納凹部の内側壁面に着脱自在に嵌合する側辺緩衝部材が設けられている。この態様によれば、前記側辺保護部材が保護する側辺部とは異なる側辺部を、側辺緩衝部材で保護することができる。
【００２３】
さらに好ましい態様としては、前記容器本体には、前記角部保護部材を収納する収納部が形成されていることを特徴とする前記角部保護部材を収納する収納部が形成されている。この態様によれば、回路基板なし被梱包物を収納する際には、角部保護部材は使用しないので、角部保護部材を容器本体に形成された収納部に収納することができる。そして、回路基板付きの被梱包物を収納する際には、角部保護部材を収納部から取り出して使用することができる。
【発明の効果】
【００２４】
本発明によれば、幅が少なくとも異なる複数種のパネル状の被梱包物から１種を選択して梱包する場合であっても、部品数を増やすことなく梱包することができる。
【図面の簡単な説明】
【００２５】
【図１】本発明の第１実施形態に係る梱包材で、第１の被梱包物を梱包する状態を示した模式的斜視図。
【図２】第１実施形態に係る梱包材の側辺保護部材の模式的斜視図。
【図３】（ａ）は、側部保護部材を容器本体に嵌合した状態の部分的上面図、（ｂ）は、（ａ）のＡ−Ａ断面図。
【図４】（ａ）〜（ｃ）は、幅の異なる第２〜第４の被梱包物を梱包した状態の部分的上面図。
【図５】図３（ｂ）に相当する第１実施形態の変形例を示した模式的断面図。
【図６】第２実施形態に係る梱包材の容器本体で、回路基板付き被梱包物を収納する状態を示した模式的斜視図。
【図７】（ａ）は、第２実施形態に係る梱包材の角部保護部材の模式的斜視図であり、（ｂ）はその変形例を示した模式的斜視図。
【図８】図７（ａ）に示す角部保護部材を容器本体に嵌合した状態の部分的上面図。
【図９】（ａ）は、図８のＢ−Ｂ線矢視断面図であり、（ｂ）は、図８のＣ−Ｃ線矢視断面図、（ｃ）は、（ａ）に相当する第２実施形態の変形例を示した模式的断面図。
【図１０】本発明の第３実施形態に係る梱包材を説明するための模式的斜視図であり、（ａ）は、蓋体裏面側の模式的斜視図、（ｂ）は、容器本体の模式的斜視図。
【図１１】本発明の第４実施形態に係る梱包材で回路基板付きの被梱包物を梱包する状態を説明するための模式的斜視図。
【図１２】回路基板なし被梱包物を図１１に示す容器本体に収納する状態を示した模式的斜視図。
【発明を実施するための形態】
【００２６】
以下に、図１〜図１２を用いて、本発明に係る梱包材のいくつかの実施形態を説明する。
【００２７】
〔第１実施形態〕
図１は、本発明の第１実施形態に係る梱包材で、第１の被梱包物を梱包する状態を示した模式的斜視図であり、図２は、第１実施形態に係る梱包材の側辺保護部材の模式的斜視図である。
【００２８】
図３は、（ａ）は、側部保護部材を容器本体に嵌合した状態の部分的上面図、（ｂ）は、（ａ）のＡ−Ａ断面図であり、図４は、（ａ）〜（ｃ）は、幅の異なる第２〜第４の被梱包物を梱包した状態の部分的上面図である。図５は、図３（ｂ）に相当する第１実施形態の変形例を示した模式的断面図である。
【００２９】
図１〜図５に示すように、梱包材１は、ガラスパネル等の複数枚の被梱包物を重ねて梱包するための梱包材である。具体的には、長辺方向の幅の異なるパネルからなる第１〜第４の被梱包物Ｐ１〜Ｐ４の４種類の被梱包物のいずれか1種を選択して、選択した１種の被梱包物を複数枚重ね合わせて、梱包するものである。なお、後述するように、第１〜第４の被梱包物（パネル）の長辺方向の幅Ｗ１〜Ｗ４は、この順に広くなっている（Ｗ１＜Ｗ２＜Ｗ３＜Ｗ４）。
【００３０】
梱包材１は、蓋体１０と容器本体２０とを備えている。蓋体１０および容器本体２０の材質としては、熱可塑性樹脂の発泡成形体であることが好ましい。熱可塑性樹脂には、ポリスチレン系樹脂、ポリオレフィン系樹脂（例えばポリプロピレン系樹脂、ポリエチレン系樹脂）、ポリエステル系樹脂（例えば、ポリエチレンテレフタレート、ポリブチレンテレフタレート、ポリエチレンナフタレート、またはポリ乳酸）、またはポリカーボネート系樹脂などが挙げられ、単一の樹脂や複数の樹脂を複合したものを使用できる。被梱包物がガラスパネルや電子部品である場合には、帯電防止処理された原料が好ましく、例えば積水化成品工業（株）製のＥＰＳ（エスレン（登録商標）ビーズＮＳＥＬＭ）、ピオセラン（登録商標）Ｌシリーズ（ＬＰ−３０ＥＮＴＲ等）、Ｏシリーズ（ＯＰ−１５ＥＮＳ）、Ｓシリーズ（ＳＰ−４０ＤＮＴ）などを挙げることができる。
【００３１】
図１に示すように、蓋体１０は、短辺方向および長辺方向の寸法が、容器本体２０の寸法と一致しており、蓋体１０には、その短辺方向および厚さ方向に沿って、複数のバンド溝１８，１８，…が形成されている。蓋体１０の裏面側の外周縁１１は、凸条となるように裏面から突出しており、後述する収納凹部２１の開口端部（開口部）２２ａの外側に形成された外縁溝２２ｂに、嵌合するようになっている。このようにして、容器本体２０の収納凹部２１に形成された開口端部２２ａを密閉するよう、蓋体１０で容器本体２０を覆うことができる。
【００３２】
容器本体２０は、底部２３と、底部２３の周りから立ち上がった側壁部２４と、を有しており、容器本体２０の中央には、底部２３および側壁部２４により、被梱包物を収納するための収納凹部２１が形成されている。底部２３の外面（底面）と、側壁部２４の外側面とには、梱包時に蓋体１０のバンド溝１８と連続するように、バンド溝２８，２８，・・・が形成されている。
【００３３】
本実施形態では、梱包材１は、容器本体２０に着脱自在に嵌合すると共に、第１〜第４の被梱包物Ｐ１〜Ｐ４のうち選択された被梱包物の両側の側辺部Ｐｓを保護する４つの側辺保護部材３０をさらに備えている。各側辺保護部材３０を構成する材料は、第１〜第４の被梱包物Ｐ１〜Ｐ４を保護することができるのであれば特に限定されるものではなく、例えば上述した蓋体１０または容器本体２０を構成する材料のうちいずれかの材料であってもよく、たとえば後述する衝撃緩衝材４２において例示した材料であってもよい。
【００３４】
具体的には、側辺保護部材３０には、側辺保護部材３０が十字状となるように軸部３１から放射状に延在するとともに、第１〜第４の梱包物Ｐ１〜Ｐ４に応じた長さＬ１〜Ｌ４を有した４つの第１〜第４の側辺部保護用アーム部３２ａ〜３２ｄが形成されている。
【００３５】
すなわち、上述したように、第１〜第４の被梱包物（パネル）Ｐ１〜Ｐ４の幅Ｗ１〜Ｗ４は、この順に広くなっている（Ｗ１＜Ｗ２＜Ｗ３＜Ｗ４）ことから、第１〜第４の側辺部保護用アーム部３２ａ〜３２ｄの長さＬ１〜Ｌ４は、この順に短くなっている（Ｌ１＞Ｌ２＞Ｌ３＞Ｌ４）。
【００３６】
さらに、図１および図３（ａ），（ｂ）に示すように、容器本体２０には、選択された被梱包物に応じた側辺部保護用アーム部（図では、第１の被梱包物Ｐ１に応じた第１の側辺部保護用アーム部３２ａ）の先端面３３ａが、収納凹部２１の内側壁面２１ｆから露出して、被梱包物Ｐ１の側辺部を保護するように、側辺保護部材３０に嵌合する嵌合凹部２６が形成されている。
【００３７】
具体的には、嵌合凹部２６は、十字状をした凹部であり、中央凹部２６ａから延在する各第１〜第４の側辺部保護用アーム部３２ａ〜３２ｄに嵌合する各アーム嵌合凹部２６ｂは、最も長さの長い第１の側辺部保護用アーム部３２ａに合わせた形状となっている。これにより、第１〜第４の側辺部保護用アーム部３２ａ〜３２ｄのいずれかの先端面３３ａ〜３３ｄを収納凹部２１の内側壁面２１ｆから露出しするように、側辺保護部材３０を嵌合凹部２６に嵌合させることができる。
【００３８】
さらに、第１〜第４の側辺部保護用アーム部３１ａ〜３１ｄの上面および下面には、選択される被梱包物に応じた側辺部保護用アーム部を認識するための認識部を有し、本実施形態の場合には文字が付されている。例えば、第１の側辺部保護用アーム部３０ａは、第１の被梱包物Ｐ１の側辺部Ｐｓを保護することから、その上面および下面には、「１」の文字が付されている。同様に、第２〜第４の側辺部保護用アーム部３０ｂ〜３０ｄは、第２〜第４の被梱包物Ｐ２〜４の側辺部Ｐｓを保護することから、その上面および下面には、それぞれ「２」，「３」，「４」の文字が付されている。
【００３９】
なお、ここでは、認識部の一例として文字として数字が付されているが、例えば記号、色、形状などであってもよい。これらの認識部は、側辺保護部材３０を成形する際に、上面および下面に凹凸により側辺保護部材３０と一体的に付してもよく、成形後に記載または記載したフィルムまたはシートを上面および下面に貼着してもよい。
【００４０】
このようにして、梱包すべき被梱包物として、第１〜第４の被梱包物Ｐ１〜Ｐ４のうち第１の被梱包物Ｐ１を選択した場合には、図３（ａ），（ｂ）に示すように、第１の被梱包物Ｐ１に応じた第１の側辺部保護用アーム部３２ａの先端面３３ａが、収納凹部２１の内側壁面２１ｆから露出するように、側辺保護部材３０を嵌合凹部２６に嵌合させる。
【００４１】
そして、梱包すべき被梱包物として、第１〜第４の被梱包物Ｐ１〜Ｐ４のうち第２の被梱包物Ｐ２を選択した場合には、図４（ａ）に示すように、左右の側辺保護部材３０を図３（ａ）の位置に対して９０°反時計回りに回転させて、側辺保護部材３０を嵌合凹部２６に嵌合させる。これにより、第２の被梱包物Ｐ２に応じた第２の側辺部保護用アーム部３２ｂの先端面３３ｂを、収納凹部２１の内側壁面２１ｆから露出させることができる。
【００４２】
また、同様に、図４（ｂ）に示すように、第３の被梱包物Ｐ３を選択した場合には、さらに９０°反時計回りに回転させて、側辺保護部材３０を嵌合凹部２６に嵌合させる。これにより、第３の被梱包物Ｐ３に応じた第３の側辺部保護用アーム部３２ｃの先端面３３ｃを、収納凹部２１の内側壁面２１ｆから露出させることができる。さらに、図４（ｃ）に示すように、第４の被梱包物Ｐ４を選択した場合には、さらに９０°反時計回りに回転させて、側辺保護部材３０を嵌合凹部２６に嵌合させ、第４の被梱包物Ｐ４に応じた第４の側辺部保護用アーム部３２ｄの先端面３３ｄを、収納凹部２１の内側壁面２１ｆから露出させることができる。
【００４３】
このようにして、長辺方向の幅が異なる第１〜第４の被梱包物Ｐ１〜Ｐ４に合わせて側辺部保護用アーム部３１ａ〜３１ｄを選択することにより、いずれの被梱包物を梱包する場合であっても、その短辺方向の両側の側辺部Ｐｓに対向するように、側辺保護部材３０を用いて、その側辺部保護用アーム部の先端面を配置することができる。
【００４４】
この際に、第１〜第４の被梱包物Ｐ１〜Ｐ４のいずれかの被梱包物を選択するのに合わせて、側辺保護部材３０の各側辺部保護用アーム部３１ａ〜３１ｄに付された数字を確認しながら、適切な側辺部保護用アーム部の先端面が内側壁面から露出するように、側辺保護部材３０を嵌合凹部２６に嵌合させることができる。
【００４５】
この結果、梱包体に衝撃または振動が作用した場合であっても、側辺部保護用アーム部の先端面で選択された被梱包物の側辺部を押さえ、選択された被梱包物を保護することができる。
【００４６】
ここで、図５に示す変形例の如く、側辺保護部材３０を、容器本体２０の開口端部２２ａから突出するようにすれば、容器本体２０の開口端部２２ａの近傍まで、例えば第１の被梱包物Ｐ１を積み重ねて、収納凹部２１に収納した場合であっても、側辺保護部材３０により、最上段に積み重ねられた第１の被梱包物Ｐ１（図５の一点鎖線参照）が、側辺保護部材３０を乗り越えることを抑制することができる。これにより、第１の被梱包物Ｐ１が、梱包材１から飛び出すことを防止することができる。
【００４７】
〔第２実施形態〕
図６は、第２実施形態に係る梱包材の容器本体で、回路基板付き被梱包物を収納する状態を示した模式的斜視図である。図７は、（ａ）は、第２実施形態に係る梱包材の角部保護部材の模式的斜視図であり、（ｂ）はその変形例を示した模式的斜視図である。
【００４８】
図８は、図７（ａ）に示す角部保護部材を容器本体に嵌合した状態の部分的上面図である。図９は、（ａ）は、図８のＢ−Ｂ線矢視断面図であり、（ｂ）は、図８のＣ−Ｃ線矢視断面図、（ｃ）は、（ａ）に相当する第２実施形態の変形例を示した模式的断面図である。
【００４９】
第２実施形態に係る梱包材が第１実施形態のものと相違する点は、回路基板付きの被梱包物を梱包するために角部保護部材さらに設けた点である。したがって、第１実施形態と同じ構成には、同じ符号を付して、詳細な説明を省略する。
【００５０】
第２実施形態に係る梱包材は、図６に示すように、矩形状のパネルＰａの３つの側辺部Ｐｓに、フレキシブル回路（フィルム回路）Ｐｆを介して回路基板Ｐｂが接続された第１の被梱包物（回路基板付き被梱包物）ＰＡと、上述した、パネルからなる被梱包物（回路基板なし被梱包物）ＰＮの２種類の被梱包物のいずれか1種を選択して、選択した１種の被梱包物を複数枚重ね合わせて、梱包するものである。さらに、回路基板付き被梱包物ＰＡおよび回路基板なし被梱包物ＰＮの各々は、上述したようにパネルの幅が異なった４種類のものがある。
【００５１】
本実施形態に係る容器本体２０の収納凹部２１の底面２１ａの側縁部２１ｂには、側縁部２１ｂに沿って底面２１ａに配置された回路基板付き被梱包物ＰＡの回路基板Ｐｂを収容するための基板収容凹部２１ｃが形成されている。これにより、回路基板付き被梱包物ＰＡを複数枚積み重ねた際に、上下方向に扇状に膨らむ回路基板Ｐｂ，Ｐｂ…を、開口端部２２ａからはみ出さないように基板収容凹部２１ｃ内に逃がすことができる。
【００５２】
さらに、収納凹部２１の基板収容凹部２１ｃが形成された側の隅部２１ｄ，２１ｄには、隅部凹部２１ｅ，２１ｅが形成されている。これにより、後述する角部保護部材４０を、容器本体２０の隅部凹部２１ｅに着脱自在に嵌合することができる。
【００５３】
角部保護部材４０，４０は、回路基板付き被梱包物ＰＡを梱包する際に、回路基板Ｐｂが接続された側のパネルＰａの一対の角部Ｐｃを保護する部材である。具体的には、各角部保護部材４０は、角部保護部材本体４１および衝撃緩衝材４２とからなる（図７（ａ），図８参照）。
【００５４】
角部保護部材本体４１には、容器本体２０の隅部凹部２１ｅに嵌合する嵌合部４３と、嵌合部４３が嵌合した状態で収納凹部２１の隅部２１ｄから各内側壁面２１ｆに沿って延在するように、嵌合部４３に一体的に成形された一対の角部保護用アーム部４４，４４と、が形成されている。さらに、回路基板付き被梱包物ＰＡの角部Ｐｃから角部保護用アーム部４４に作用する衝撃力により、角部保護用アーム部４４，４４同士の基端部に応力集中しないように、角部保護用アーム部４４，４４同士の基端部は、Ｒ形状の曲面４８で連続している。さらに、衝撃緩衝材４２は、パネルＰａの角部Ｐｃを保護するように各角部保護用アーム部４４，４４の表面に配置されている。
【００５５】
ここで、図７（ａ）に示すように、嵌合部４３および一対の角部保護用アーム部４４，４４は、中実構造であってもよいが、例えば、図７（ｂ）に示すように、嵌合部４３および一対の角部保護用アーム部４４，４４は、上下に開口が形成された中空構造であってもよく、さらには、内壁同士を接続するように形成された複数の補強リブ４４ａ，４４ａ，…を設けてもよい。
【００５６】
また、角部保護部材本体４１は、容器本体２０および蓋体１０よりも硬質の材料からなる。たとえば、角部保護部材本体４１を構成する材料の縦弾性率は、容器本体２０および蓋体１０を構成する材料の縦弾性率よりも高いものが選定されている。容器本体２０および蓋体１０が上述した発泡樹脂材の場合、角部保護部材本体４１は非発泡樹脂材が選定され、角部保護部材本体４１の材料としては、ポリスチレン系樹脂、ポリオレフィン系樹脂、アクリル系樹脂、ポリカーボネートなどを挙げることができる。
【００５７】
このように、角部保護部材本体４１は、容器本体２０および蓋体１０に比べて硬質となっており、回路基板付き被梱包物ＰＡが梱包された梱包体に衝撃または振動が作用した際に、荷重が集中し易い収納凹部２１の隅部には、角部保護部材４０が配置されているので、容器本体２０の破損または欠損を抑制することができる。
【００５８】
さらに、衝撃緩衝材４２は、回路基板付き被梱包物ＰＡの角部Ｐｃからの衝撃を吸収するシート材であり、角部保護部材本体４１よりも軟質の、天然ゴム、イソプレンゴム、ブタジエンゴム、ウレタンゴム、スチレンブタジェンゴム、ニトリルゴム、ブチルゴム、エチレンプロピレンゴム、フッ素ゴム、アクリルゴムなどの材料、さらにはこれらを発泡させたもの、複数積層させたものであってもよい。
【００５９】
このような梱包材１を用いて、回路基板付き被梱包物ＰＡを梱包する際には、図８および図９（ａ）に示すように、容器本体２０の隅部凹部２１ｅに、角部保護部材４０，４０を嵌合させる。次に、基板収容凹部２１ｃに回路基板付き被梱包物ＰＡの回路基板Ｐｂを逃がすように、回路基板付き被梱包物ＰＡを収納凹部２１内において合紙を挟んで積み重ねる。
【００６０】
被梱包物ＰＡを収納した容器本体２０を蓋体１０で覆い、容器本体２０の開口端部２２ａを密閉するよう、蓋体１０の裏面側の外周縁１１を、容器本体２０の外縁溝２２ｂに嵌合させる。この嵌合状態で、バンド溝１８，２８に沿って３本のＰＰバンドなどの樹脂製バンド（図示せず）で、蓋体１０および容器本体２０を縛ることにより、梱包体とされる。
【００６１】
この際に、図９（ａ），図９（ｂ）に示すように、収納凹部２１の基板収容凹部２１ｃが形成された側の一対の隅部２１ｄ，２１ｄには、回路基板付き被梱包物ＰＡのパネルＰａの角部Ｐｃを保護する一対の角部保護部材４０，４０が配置されている。これにより、振動または衝撃時には、フレキシブル回路Ｐｆを介して回路基板Ｐｂが接続された側辺部Ｐｓ側の角部Ｐｃを、角部保護部材４０により押さえて、第１の被梱包物Ｐ１の他の側辺部を、収納凹部２１の内壁面によって押さえることができる。
【００６２】
特に、角部保護部材４０の嵌合部４３から延在する一対の角部保護用アーム部４４，４４の表面には、衝撃緩衝材４２が貼着されているので、回路基板付き被梱包物ＰＡの角部Ｐｃから各側辺部Ｐｓに沿った部分を、衝撃緩衝材４２により保護することができるとともに、梱包および開梱時において、角部保護部材４０により回路基板付き被梱包物ＰＡの角部Ｐｃが接触することによる容器本体２０の破損を防止することができる。
【００６３】
さらに、嵌合部４３が嵌合した状態で、角部保護部材４０に衝撃が作用した際には、角部保護用アーム部４４に回路基板付き被梱包物ＰＡの角部Ｐｃが接触し、角部保護用アーム部４４が撓む。この結果、角部保護用アーム部４４により回路基板付き被梱包物ＰＡの角部Ｐｃの衝撃を緩衝することができる。
【００６４】
ここで、図９（ｃ）に示す変形例の如く、角部保護部材４０の角部保護用アーム部４４を、容器本体２０の開口端部２２ａから突出してもよい。このようにすれば、容器本体２０の開口端部２２ａの近傍まで、回路基板付き被梱包物ＰＡを積み重ねて、収納凹部２１に収納した場合であっても、角部保護用アーム部４４により、最上段に積み重ねられた回路基板付き被梱包物ＰＡ（図９（ｃ）の一点鎖線参照）の角部Ｐｃが、角部保護用アーム部４４を乗り越えることを抑制することができる。これにより、回路基板付き被梱包物ＰＡが、梱包材１から飛び出すことを防止することができる。
【００６５】
さらに、回路基板なし被梱包物を梱包する際には、一対の角部保護部材４０，４０を容器本体２０から取り外した状態で、容器本体２０の収納凹部２１内に、回路基板なし被梱包物を積み重ねて収納すればよい。回路基板なし被梱包物の大きさは、回路基板付き被梱包物ＰＡのパネルよりも短辺方向が長く、開口端部２２ａの大きさに略等しいので、収納された第２の被梱包物ＰＮは、収納凹部２１の内側壁面２１ｆで保護されることになる。回路基板付き被梱包物ＰＡおよび回路基板なし被梱包物の長辺方向の幅が異なるものを選択した場合には、第１実施形態に示したように、側辺保護部材３０の向きを適切な向きに向けて、側辺保護部材３０を嵌合凹部２６に嵌合させて、側辺部保護用アーム部で、選択された被梱包物の側辺部を保護すればよい。
【００６６】
このようにして、パネルの長辺方向の幅が異なる被梱包物ばかりでなく、さらには、パネルの側辺部Ｐｓにフレキシブル回路Ｐｆを介して回路基板Ｐｂが接続された回路基板付き被梱包物ＰＡおよびパネルのみからなる回路基板なし被梱包物のいずれの種類の被梱包物を選択した場合であっても、共通の容器本体２０および蓋体１０を兼用して、これらを梱包することができる。
【００６７】
〔第３実施形態〕
図１０は、本発明の第３実施形態に係る梱包材を説明するための模式的斜視図であり、（ａ）は、蓋体裏面側の模式的斜視図、（ｂ）は、容器本体の模式的斜視図である。
【００６８】
第３実施形態に係る梱包材が第２実施形態のものと相違する点は、一対の角部保護部材および側辺保護部材を蓋体に嵌合させた点である。したがって、第１実施形態と同じ構成には、同じ符号を付して、詳細な説明を省略する。
【００６９】
図１０（ａ）に示すように、本実施形態では、蓋体１０の短辺方向に沿った縁部には、側辺保護部材３０が嵌合するように、嵌合凹部１４ａが形成されている。また、蓋体１０の裏面側の隅部１３には、角部保護部材４０の嵌合部４３が着脱自在に嵌合するように、嵌合凹部１４ｂが形成されている。
【００７０】
容器本体２０には、蓋体１０を容器本体２０に被着したときに、蓋体１０の嵌合凹部１４ａに嵌合した状態の各側辺保護部材３０の側辺部保護用アーム部３１の先端面３２が、収納凹部２１の内側壁面２１ｆから露出するように、側部凹部２７ａが形成されている。
【００７１】
同様に、蓋体１０を容器本体２０に被着したときに、蓋体１０の嵌合凹部１４に嵌合した状態の角部保護部材４０を収納するとともに、一対の角部保護用アーム部４４，４４のそれぞれが、収納凹部２１の隅部２１ｄから各内側壁面２１ｆに沿って延在するように、容器本体２０の隅部２１ｄ，２１ｄには隅部凹部２７ｂが形成されている。
【００７２】
このように構成することにより、共通の蓋体１０および容器本体２０を兼用して、パネルの長辺方向の幅が異なる被梱包物ばかりでなく、回路基板付き被梱包物およびパネルのみからなる回路基板なし被梱包物をも梱包することができるとともに、側辺保護部材３０および角部保護部材４０が蓋体１０に嵌合しているので、梱包体に衝撃または振動が作用したとしても、最上段の被梱包物Ｐが容器本体２０の開口端部２２ａを乗り越えることを抑制することができる。
【００７３】
〔第４実施形態〕
図１１は、本発明の第４実施形態に係る梱包材で回路基板付きの被梱包物を梱包する状態を説明するための模式的斜視図である。図１２は、回路基板なし被梱包物を図１１に示す容器本体に収納する状態を示した模式的斜視図である。
【００７４】
第４実施形態に係る梱包材が第２実施形態のものと相違する点は、容器本体の収納凹部の内側壁面に嵌合する側辺緩衝部材を設けた点である。したがって、第２実施形態と同じ構成は、同じ符号を付して、詳細な説明を一部省略する。
【００７５】
図１１および図１２に示すように、容器本体２０の収納凹部２１の内側壁面２１ｆには、開口端部２２ａから底面２１ａに向かって、複数の嵌合溝２９が形成されている。この嵌合溝２９は、側辺緩衝部材５０と容器本体２０とを嵌合するための溝である。
【００７６】
図１２に示すように、側辺緩衝部材５０は、図１２に示す大きさの回路基板なし被梱包物ＰＮの１つ側辺部Ｐｓを押さえることができる程度の肉厚となっており、隣接する２つの嵌合溝２９，２９に着脱自在に嵌合するように、一対の嵌合凸条５１が形成されている。側辺緩衝部材５０は、上述した蓋体１０または容器本体２０を構成する材料と同じ材料であってもよく、衝撃緩衝材４２を構成する材料と同じであってもよい。
【００７７】
第２実施形態に示したのと同様に（図６参照）、収納凹部２１の隅部２１ｄに形成された隅部凹部２１ｅに、各角部保護部材４０を嵌合させた状態で、回路基板付き被梱包物ＰＡを収納凹部２１内において積み重ねて、これらを梱包することができる。
【００７８】
さらに、第２実施形態の第２の被梱包物よりも短辺方向の幅が短い回路基板なし被梱包物ＰＮを梱包する際には、図１２に示すように、収納凹部２１の内側壁面２１ｆの嵌合溝２９に、側辺緩衝部材５０の嵌合凸条５１を嵌合させることにより、回路基板なし被梱包物ＰＮの大きさに応じた収納空間が形成される。この結果、側辺緩衝部材５０が、収納凹部２１に収納された第２の被梱包物ＰＮの側辺部Ｐｓに沿って配置されることになるので、側辺部Ｐｓを側辺緩衝部材５０で保護することができる。
【００７９】
以上、本発明の実施の形態を用いて詳述してきたが、具体的な構成はこの実施形態及び実施例に限定されるものではなく、本発明の要旨を逸脱しない範囲における設計変更があっても、それらは本発明に含まれるものである。
【００８０】
本実施形態では、角部保護部材は、容器本体または蓋体のいずれか一方に嵌合するようになっていたが、角部保護部材を着脱自在に嵌合することができるのであれば、角部保護部材は、容器本体および蓋体の双方に嵌合するようになっていてもよい。
【００８１】
さらに、容器本体の隅部凹部とは異なる位置（例えば容器本体の上面）に、角部保護部材を収納する収納部が形成されていてもよい。これにより、回路基板付き被梱包物を収納する際には角部保護部材は使用しないので収納部に収納することができる。また、回路基板付き被梱包物を収納する際には、角部保護部材を収納部から取り出して使用することができる。このようにいずれの被梱包物の梱包にかかわらず、角部保護部材を容器本体とともに一体的に搬送することができる。
【符号の説明】
【００８２】
１：梱包材、１０：蓋体、１１：外周縁、１３：隅部、１４ａ，１４ｂ：嵌合凹部、１８：バンド溝、２０：容器本体、２１：収納凹部、２１ａ：底面、２１ｂ：側縁部、２１ｃ：基板収容凹部、２１ｄ：隅部、２１ｅ：隅部凹部、２１ｆ：内側壁面、２２ａ：開口端部、２２ｂ：外縁溝、２３：底部、２４：側壁部、２７ａ：側部凹部、２７ｂ：隅部凹部、２６：嵌合凹部、２６ａ：中央凹部、２６ｂ：アーム嵌合凹部、２８：バンド溝、３０：側辺保護部材、３１：軸部、３２ａ〜３２ｄ：第１〜第４の側辺部保護用アーム部、３３ａ〜３３ｄ：先端面、２９：嵌合溝、４０：角部保護部材、４１：角部保護部材本体、４２：衝撃緩衝材、４３：嵌合部、４４：角部保護用アーム部、４４ａ：補強リブ、４８：曲面、５０：側辺緩衝部材、５１嵌合凸条、Ｐ１〜Ｐ４：第１〜第４の被梱包物、ＰＡ：回路基板付き被梱包物，ＰＮ：回路基板なし被梱包物、Ｐａ：パネル、Ｐｂ：回路基板、Ｐｃ：角部、Ｐｆ：フレキシブル回路、Ｐｓ：側辺部 
【図１】
2014009019.tif 000003
【図２】
2014009019.tif 000004
【図３】
2014009019.tif 000005
【図４】
2014009019.tif 000006
【図５】
2014009019.tif 000007
【図６】
2014009019.tif 000008
【図７】
2014009019.tif 000009
【図８】
2014009019.tif 000010
【図９】
2014009019.tif 000011
【図１０】
2014009019.tif 000012
【図１１】
2014009019.tif 000013
【図１２】
2014009019.tif 000014